(57)【要約】【課題】給紙テーブルに積まれた本刷り用の枚葉紙の一部を試し刷り用の枚葉紙に積み替える必要がなく、かつ、試し刷り用の枚葉紙が本刷り用の枚葉紙に誤って混入する事態を生じにくい枚葉印刷機を提供する。【解決手段】２箇所の給紙テーブル１，２に積まれた枚葉紙を選択的に送り出す給紙部３と、その給紙部３から送り出される枚葉紙に印刷を施す印刷部４と、その印刷部４から排出された枚葉紙を排紙テーブル５に積み重ねる排紙部６とを有し、その排紙部６に、給紙テーブル１から送り出された枚葉紙と給紙テーブル２から送り出された枚葉紙を区分けするテープインサータ１８を設けた構成を枚葉印刷機に採用する。【選択図】図１
2007302348.tif 000002
【特許請求の範囲】
【請求項１】
２箇所の給紙テーブル（１，２）に積まれた枚葉紙を選択的に送り出す給紙部（３）と、その給紙部（３）から送り出される枚葉紙に印刷を施す印刷部（４）と、その印刷部（４）から排出された枚葉紙を排紙テーブル（５）に積み重ねる排紙部（６）とを有し、その排紙部（６）に、一方の前記給紙テーブル（１）から送り出された枚葉紙と他方の前記給紙テーブル（２）から送り出された枚葉紙を区分けする区分け手段を設けた枚葉印刷機。
【請求項２】
前記区分け手段が、一方の前記給紙テーブル（１）から送り出された枚葉紙と他方の前記給紙テーブル（２）から送り出された枚葉紙の間にテープ（１９）を挿入するテープインサータ（１８）である請求項１に記載の枚葉印刷機。
【発明の詳細な説明】
【技術分野】
【０００１】
この発明は、枚葉紙に印刷を施す枚葉印刷機に関する。
【背景技術】
【０００２】
枚葉紙に印刷を施す枚葉印刷機として、枚葉紙が積まれた給紙テーブルから１枚ずつ枚葉紙を送り出す給紙部と、その給紙部から送り出される枚葉紙に印刷を施す印刷部と、その印刷部から排出された枚葉紙を排紙テーブルに積み重ねる排紙部とからなるものが知られている（特許文献１）。
【０００３】
この枚葉印刷機は、一般に、印刷開始直後の印刷が安定しにくいので、給紙テーブルに積まれた本刷り用の枚葉紙の一部を試し刷り用の枚葉紙（たとえば損紙）に積み替え、試し刷り用の枚葉紙に続いて本刷り用の枚葉紙が給紙部から送り出されるようにすることが多い。
【特許文献１】特開２００２−１７８４８２号公報
【発明の開示】
【発明が解決しようとする課題】
【０００４】
しかし、ロット替えやトラブルによって印刷機を一旦停止するたびに、給紙テーブルに積まれた本刷り用の枚葉紙の一部を試し刷り用の枚葉紙に積み替えるのは煩雑である。また、この枚葉印刷機は、排紙部に積まれた枚葉紙から試し刷り用の枚葉紙を区分けして抜き出す必要があるが、その区分けは、作業者が枚葉紙を１枚１枚見て行なうことが多い。そのため、区分けの位置を間違えると、試し刷り用の枚葉紙が本刷り用の枚葉紙に誤って混入するおそれがあった。
【０００５】
この発明が解決しようとする課題は、給紙テーブルに積まれた本刷り用の枚葉紙の一部を試し刷り用の枚葉紙に積み替える必要がなく、かつ、試し刷り用の枚葉紙が本刷り用の枚葉紙に誤って混入する事態を生じにくい枚葉印刷機を提供することである。
【課題を解決するための手段】
【０００６】
上記の課題を解決するために、２箇所の給紙テーブルに積まれた枚葉紙を選択的に送り出す給紙部と、その給紙部から送り出される枚葉紙に印刷を施す印刷部と、その印刷部から排出された枚葉紙を排紙テーブルに積み重ねる排紙部とを有し、その排紙部に、一方の前記給紙テーブルから送り出された枚葉紙と他方の前記給紙テーブルから送り出された枚葉紙を区分けする区分け手段を設けた構成を枚葉印刷機に採用した。
【０００７】
前記区分け手段としては、たとえば、一方の前記給紙テーブルから送り出された枚葉紙と他方の前記給紙テーブルから送り出された枚葉紙の間にテープを挿入するテープインサータを採用することができる。
【発明の効果】
【０００８】
この発明の枚葉印刷機は、一方の給紙テーブルに試し刷り用の枚葉紙を積むとともに、他方の給紙テーブルに本刷り用の枚葉紙を積むことによって、試し刷り用の枚葉紙につづいて本刷り用の枚葉紙を給紙部から送り出すことができる。そのため、ロット替えやトラブルによって印刷機を一旦停止し、その後に印刷を開始したときに、給紙テーブルに積まれた本刷り用の枚葉紙の一部を試し刷り用の枚葉紙に積み替える必要がない。
【０００９】
また、排紙部に設けられた区分け手段が、印刷部から排出された枚葉紙を、一方の給紙テーブルから送り出された枚葉紙と他方の給紙テーブルから送り出された枚葉紙に区分けするので、試し刷り用の枚葉紙が本刷り用の枚葉紙に誤って混入する事態を生じにくい。
【発明を実施するための最良の形態】
【００１０】
図１に、この発明の実施形態の枚葉印刷機を示す。この枚葉印刷機は、上下２段の給紙テーブル１，２に積まれた枚葉紙を選択的に送り出す給紙部３と、給紙部３から送り出される枚葉紙に印刷を施す印刷部４と、印刷部４から排出された枚葉紙を排紙テーブル５に積み重ねる排紙部６とからなる。
【００１１】
給紙部３は、給紙テーブル１に積まれた枚葉紙を上から１枚ずつ取り出すフィーダ７と、フィーダ７で取り出された枚葉紙に送りをかける送りローラ８と、送りローラ８から送り出された枚葉紙を搬送して印刷部４に送り出す給紙コンベヤ９とを有し、また、他方の給紙テーブル２に積まれた枚葉紙を上から１枚ずつ取り出すフィーダ１０と、フィーダ１０で取り出された枚葉紙に送りをかける送りローラ１１と、送りローラ１１から送り出された枚葉紙を搬送して給紙コンベヤ９に送り込む補助コンベヤ１２とを有する。
【００１２】
印刷部４は、版胴１３に湿し水を供給する給水装置１４と、湿し水が供給された版胴１３にインキを供給するインキ装置１５と、インキが供給された版胴１３に接触してインキを一旦転写されるブランケット胴１６とからなる。給紙コンベヤ９から送り出された枚葉紙は、ブランケット胴１６に接触してインキを転写され、チェーンデリバリ１７に渡される。
【００１３】
排紙部６は、チェーンデリバリ１７と、排紙テーブル５と、排紙テーブル５の側方に設けられたテープインサータ１８とからなる。チェーンデリバリ１７は、咥え爪（図示せず）で枚葉紙の先端をくわえて枚葉紙を搬送し、排紙テーブル５の位置で咥え爪から枚葉紙を解放する。咥え爪から解放された枚葉紙は、排紙テーブル５に積み重ねられる。
【００１４】
テープインサータ１８は、テープ１９が巻回されたテープリール２０と、テープリール２０からテープ１９を送り出す送り機構２１とを有し、テープインサータ１８を作動させると、送り機構２１によって送り出されたテープ１９の端部が、排紙テーブル５に積み重なった枚葉紙とチェーンデリバリ１７の間に挿入され、その挿入部分が、送り機構２１に組み込まれた切断装置（図示せず）によってテープリール２０から切り離される。
【００１５】
この枚葉印刷機の使用例を説明する。
【００１６】
まず、図２に示すように、給紙テーブル１に本刷り用の枚葉紙Ｐ１を積むとともに、他方の給紙テーブル２に試し刷り用の枚葉紙（たとえば損紙）Ｐ２を積み、その状態で印刷を開始する。このとき、一定枚数の試し刷り用の枚葉紙Ｐ２を給紙テーブル２から送り出し、つづいて本刷り用の枚葉紙Ｐ１を給紙テーブル１から送り出すようにする。また、排紙部６では、図３（ａ）に示すように、排紙テーブル５に一定枚数の試し刷り用の枚葉紙Ｐ２が積み重なったときにテープインサータ１８を作動させる。これにより、図３（ｂ）に示すように、試し刷り用の枚葉紙Ｐ２と本刷り用の枚葉紙Ｐ１の間にテープ１９が挿入される。
【００１７】
この枚葉印刷機を用いると、印刷開始直後に、一定枚数の試し刷り用の枚葉紙Ｐ２を給紙テーブル２から送り出し、つづけて本刷り用の枚葉紙Ｐ１を給紙テーブル１から送り出すことができる。そのため、ロット替えやトラブルによって印刷機を一旦停止し、その後に印刷を開始したときに、印刷が安定するまでの間の印刷を、給紙テーブル１に積まれた本刷り用の枚葉紙Ｐ１の一部を試し刷り用の枚葉紙Ｐ２に積み替えないで、試し刷り用の枚葉紙Ｐ２に行なうことができる。
【００１８】
また、この枚葉印刷機は、試し刷り用の枚葉紙Ｐ２を給紙テーブル２から送り出し、つづけて本刷り用の枚葉紙Ｐ１を給紙テーブル１から送り出したときに、試し刷り用の枚葉紙Ｐ２と本刷り用の枚葉紙Ｐ１の間にテープ１９が挿入されるので、排紙テーブル５に積み重なった枚葉紙から試し刷り用の枚葉紙Ｐ２を抜き出す作業が容易であり、試し刷り用の枚葉紙Ｐ２が本刷り用の枚葉紙Ｐ１に誤って混入する事態を生じにくい。
【００１９】
上記実施形態では、給紙テーブル１から送り出された枚葉紙Ｐ１と給紙テーブル２から送り出された枚葉紙Ｐ２の区分けを、排紙部６に設けたテープインサータ１８で行なっているが、他の形式の区分け手段を排紙部６に設けて枚葉紙Ｐ１と枚葉紙Ｐ２を区分けするようにしてもよい。たとえば、排紙部６にスプレーを設け、そのスプレーで試し刷り用の枚葉紙Ｐ２の縁にインキを吹き付けるようにしてもよく、また、枚葉紙をチェーンデリバリ１７の咥え爪から解放する位置を、試し刷り用の枚葉紙Ｐ２と本刷り用の枚葉紙Ｐ１とで異ならせるようにしてもよい。
【００２０】
また、上記実施形態では、枚葉印刷機としてオフセット枚葉印刷機を例に挙げて説明したが、この発明は、たとえば、活版枚葉印刷機やグラビア枚葉印刷機など他の形式の枚葉印刷機に適用することもできる。
【図面の簡単な説明】
【００２１】
【図１】この発明の枚葉印刷機の実施形態を示す正面図
【図２】図１に示す枚葉印刷機の給紙部から試し刷り用の枚葉紙を送り出す状態を示す拡大図
【図３】（ａ）は、図１に示す枚葉印刷機のテープインサータを作動させた状態を示す拡大図であり、（ｂ）は、図１に示す枚葉印刷機のテープインサータによって試し刷り用の枚葉紙と本刷り用の枚葉紙の間にテープが挿入された状態を示す拡大図
【符号の説明】
【００２２】
１，２    給紙テーブル
３        給紙部
４        印刷部
５        排紙テーブル
６        排紙部
１８      テープインサータ
１９      テープ
【図１】
2007302348.tif 000003
【図２】
2007302348.tif 000004
【図３】
2007302348.tif 000005